(57)【特許請求の範囲】
【請求項１】
筒状の巻芯に巻装されたウェットタイプのロール状ペーパーと、上記巻芯を中心に上記ロール状ペーパーを回転可能に収容する保湿性袋と、この保湿性袋に形成され、上記ロール状ペーパーの先端を引出す引出口と、この引出口を開閉するように上記保湿性袋に取付けられたカバーとを備えたトイレットペーパーにおいて、上記保湿性袋は、上記ロール状ペーパーの外周を覆う外側円筒状部と、上記巻芯を挿通する内側円筒状部と、これら外側円筒状部および内側円筒状部の両端に取付けられ、円筒状部の両端開口を閉塞する円板部とを備え、上記カバーの表面には、表面の剥離紙を剥がして保湿性袋の周囲などに接合させる接合部が設けられていることを特徴とするトイレットペーパー。
【請求項２】
請求項１記載のトイレットペーパーを回転自在に支持する巻芯支持部を有するトイレットペーパー取付ホルダにおいて、
上記巻芯支持部の両端に取付けられ、少なくともいずれか一方が着脱可能の側部支持体を備えたことを特徴とするトイレットペーパー取付ホルダ。
【請求項３】
上記側部支持体は、上記トイレットペーパーをほぼ水平状態に維持する係止部を有することを特徴とする請求項２記載のトイレットペーパー取付ホルダ。
【請求項４】
請求項１記載のトイレットペーパーを回転自在に支持する巻芯支持部を有するトイレットペーパー取付ホルダにおいて、
上記トイレットペーパーを着脱させるために上記巻芯支持部を進退自在に枢支する側部支持体と、この側部支持体を上記トイレットペーパーの両側に配設するように連結させる連結板とを備えたことを特徴とするトイレットペーパー取付ホルダ。
【請求項５】
請求項１記載のトイレットペーパーを回転自在に支持する巻芯支持部を有するトイレットペーパー取付ホルダにおいて、
上記巻芯支持部は上記トイレットペーパーを両側から支持するように連結部材に少なくともいずれか一方が着脱可能に取付けられていることを特徴とするトイレットペーパー取付ホルダ。
【発明の詳細な説明】
【０００１】
【発明の属する技術分野】
本発明は、ウェットタイプのトイレットペーパーとこれに使用するトイレットペーパー取付ホルダに係り、詳しくは上記トイレットペーパーと、このトイレットペーパーを保湿性を保持した状態で使用するようにしたトイレットペーパー取付ホルダに関するものである。
【０００２】
【従来の技術】
従来のトイレットペーパーは長尺紙を巻芯にロール状に巻付けたり単に長尺の紙をロール状に巻いたりして形成されたもので、長尺ペーパーをロール状とすることにより比較的多量の紙をコンパクトに保管することができることから広く普及している。
【０００３】
【発明が解決しようとする課題】
しかしながら、従来のトイレットペーパーは、乾燥しているので、例えば排泄物を拭き取る場合は、敏感な皮膚を刺激し易く、例えば痔など肛門に疾患がある場合や下痢で何度も拭き取る場合などに皮膚を刺激してしまう。特に皮膚が敏感な乳幼児には刺激が強過ぎる。また、床などに零した飲食物を拭き取る場合、拭き取りにくいために繰り返し拭き取り操作しなければならず、ペーパーを無駄に使用することになる。
【０００４】
したがって、拭き取りを確実に行うため、また皮膚に対する刺激を抑えるために、ウェットタイプのロール状ペーパーを使用することが考えられるが、ウェットタイプのロール状ペーパーを単に既存のトイレットペーパーホルダに装着して放置すると、ロール状ペーパーは表面から乾燥してしまうために結果的に従来のドライタイプのロール状ペーパーと何ら変わらないことになる。このため、多量のロール状ペーパーを使用することになり、資源の無駄になる。
【０００５】
本発明は、上記の課題を解決するためになされたもので、ロール状ペーパーを常時、保湿性を保持した状態に維持し、少量のペーパーで拭き取りを行え、皮膚を刺激しないようにしたトイレットペーパーを提供することを目的とする。
【０００６】
また、本発明は、上述のウェットタイプのロール状ペーパーを先端から確実、かつ容易に引き出せるようにしたトイレットペーパー取付ホルダを提供することを目的とする。
【０００７】
【課題を解決するための手段】
上記目的を達成するために、請求項１記載の発明に係るトイレットペーパーは、筒状の巻芯に巻装されたウェットタイプのロール状ペーパーと、上記巻芯を中心に上記ロール状ペーパーを回転可能に収容する保湿性袋と、この保湿性袋に形成され、上記ロール状ペーパーの先端を引出す引出口と、この引出口を開閉するように上記保湿性袋に取付けられたカバーとを備えたトイレットペーパーにおいて、上記保湿性袋は、上記ロール状ペーパーの外周を覆う外側円筒状部と、上記巻芯を挿通する内側円筒状部と、これら外側円筒状部および内側円筒状部の両端に取付けられ、円筒状部の両端開口を閉塞する円板部とを備え、上記カバーの表面には、表面の剥離紙を剥がして保湿性袋の周囲などに接合させる接合部が設けられていることを特徴とするものである。
【０００８】
請求項２記載の発明に係るトイレットペーパー取付ホルダは、上記トイレットペーパーを回転自在に支持する巻芯支持部を有するものであって、
上記巻芯支持部の両端に取付けられ、少なくともいずれか一方が着脱可能の側部支持体を備えたことを特徴とするものである。
【０００９】
請求項３記載の発明に係るトイレトペーパー取付ホルダは、上記側部支持体は、上記トイレットペーパーをほぼ水平状態に維持する係止部を有することを特徴とするものである。
【００１０】
請求項４記載の発明に係るトイレットペーパー取付ホルダは、上記トイレットペーパーを回転自在に支持する巻芯支持部を有するものであって、
上記トイレットペーパーを着脱させるために上記巻芯支持部を進退自在に枢支する側部支持体と、この側部支持体を上記トイレットペーパーの両側に配設するように連結させる連結板とを備えたことを特徴とするものである。
【００１１】
請求項５記載の発明に係るトイレットペーパー取付ホルダは、上記トイレットペーパーを回転自在に支持する巻芯支持部を有するものであって、
上記巻芯支持部は上記トイレットペーパーを両側から支持するように連結部材に少なくともいずれか一方が着脱可能に取付けられていることを特徴とするものである。
【００１２】
【発明の実施の形態】
以下、本発明の実施の形態を図面に基づいて詳細に説明する。
【００１３】
（第１の実施の形態）
図１は本発明に係るトイレットーペーパーの一例を示す斜視図、図２は本発明に係る実施の形態１のトイレットペーパー取付ホルダを示す斜視図、図３は図２に示すトイレットペーパー取付ホルダを既存のトイレットペーパーホルダに装着した状態を示す斜視図である。
【００１４】
図１において、本実施の形態に係るトイレットペーパー１はウェットタイプのロール状ペーパー２を合成樹脂製の巻芯３に巻回し、ビニール、合成樹脂フィルムなどの保湿性袋４に収容したもので、ロール状ペーパー２は精製水、プロピレングリコール、パラベン、塩化セチルピリジニウムの混合液中に浸した水溶性のパルプ製またはケナフ製の紙をロール状に巻いて形成されている。また、ロール状ペーパー２は巻解し方向に回転可能となるように保湿性袋４内に収容されている。ロール状ペーパー２には切断し易くするために、幅方向の両端と中央に比較的長い切断線などの切り込み２ａが刻設されている。この切り込み２ａには着色が施され、切断個所を確実に判明できるようにしている。なお、ロール状ペーパー２の巻芯３に対する巻付けは、糊付けやステイプルなどによって行っている。
【００１５】
上記保湿性袋４の周壁にはロール状ペーパー２の外周端を引出すための引出口４ａが形成されるとともにこの引出口４ａを塞ぐカバー５が熱溶着されている。このカバー５は保湿性袋４との接合面に感圧接着剤やシール用接着剤などの接着剤層５ａが塗布されるとともにロール状ペーパー２を使用する際に、カバー５の表面の剥離紙を剥がして保湿性袋４の周囲などに接合させる接合部５ｂが設けられている。なお、カバー５には摘み５ｃが設けられ、カバー５の開閉を行い易くしている。
【００１６】
そして、上記保湿性袋４は引出口４ａを形成するために切り取り線を長円状に刻設した後に、フィルムを二つ折りにして外側円筒状部４ｂを形成する。また、同様に巻芯３を貫通する内側円筒状部４ｃを二つ折りにして形成する。そして、外側円筒状部４ｂ内にロール状ペーパー２を挿入し、さらにこのロール状ペーパー２の巻芯３内に内側円筒状部４ｃを挿入して両円筒状部４ｂ、４ｃの両端開口にドーナツ状の円板部４ｄ（一方図示省略）を熱溶着する。
【００１７】
また、上記引出口４ａを形成するには上述したようにロール状ペーパー２を収容した保湿性袋４に切り取り線を覆うようにカバー５を接合させる。すなわち、このカバー５の一端は保湿性袋４に熱溶着されており、カバー５の保湿性袋４との接合面には感圧接着剤またはシール接着剤などの接着剤が塗布されている。そして、カバー５を外側円筒状部４ｂから最初に剥がす際に、切り取り線を破断させて引出口４ａを形成させるようにする。
【００１８】
上述のトイレットペーパー１は図２に示すトイレットペーパー取付ホルダ６に装着して使用されるもので、このトイレットペーパー取付ホルダ６はロール状ペーパー２の巻芯３に嵌挿する巻芯支持部７と、この巻芯支持部７の左右両端に嵌合し、トイレットペーパー取付ホルダ６を例えば既存のトイレトペーパーホルダ９に吊下げるようにした側部支持体としての吊下げ部８、８とで形成されている。この吊下げ部８、８は側面受板８ａ、８ａとこの側面受板８ａ、８ａの外側面に止着されたアーム部８ｂ、８ｂとを備えており、左右いずれか一方の側面受板８ａは巻芯支持部７の一端に着脱可能に嵌合し、他方の側面受板８ａは巻芯支持部７の他端に嵌着している。また、アーム部８ｂ、８ｂの上端には図３に示す既存のトイレットペーパーホルダ９の側板９ａ、９ａに引掛けて係止する係止部８ｃ、８ｃが形成されている。なお、トイレットペーパーホルダ９には従来のトイレットペーパーや本発明に係るトイレットペーパー１を支持する伸縮自在の軸９ｂが設けられている。
【００１９】
上述のトイレットペーパー取付ホルダ６を使用する場合は、一方の側面受板８ａに嵌合している巻芯支持部７を外し、この巻芯支持部７に、保湿性袋４に収容されたウェットタイプのロール状ペーパー２を嵌挿させる。そののち、再度巻芯支持部７を一方の側面受板８ａに嵌合させた後、アーム部８ｂ、８ｂの係止部８ｃ、８ｃをトイレットペーパーホルダ９の側板９ａ、９ａに引掛けてトイレットペーパー１をほぼ水平状態に支持させる。
【００２０】
これによりトイレットペーパー１の巻芯３が巻芯支持部７に嵌挿しているので、トイレットペーパー１の引出を容易、かつ確実に行うことができる。実際の使用に際しては、剥離紙を剥がして接合部５ｂを露出させ、摘み５ｃを摘んでカバー５を捲り、例えば保湿性袋４の周囲に接合させるか、既存のトイレットペーパーホルダ９の屋根板９ａなどに接合させるかして引出口４ａを開放させる。このため、引出口４ａよりロール状ペーパー２の先端を所望の長さ引出すことができ、ロール状ペーパー２には着色が施された切り込み２ａが刻設されているので、ロール状ペーパー２を切り込み２ａから容易、かつ無駄なく切断することができる。
【００２１】
（第２の実施の形態）
次に、本発明に係る第２の実施の形態を図４および図５に基づいて詳細に説明する。
【００２２】
この実施の形態のトイレットペーパー取付ホルダ１０は図４に示すように外枠１１が平面視ほぼコ字状に形成されたもので、左右の側部支持体としての側面受板１２ａ、１２ｂを連結部材１２ｃによって一体に連結した構成である。この連結部材１２ｃは図５に示すような既存のトイレットペーパーホルダ９の背面に挿し込んで取付けるための切欠き溝１２ｄ、１２ｄが形成されている。
【００２３】
また、左右の側面受板１２ａ、１２ｂには２つに分割された巻芯支持部１３、１３がそれぞれ進退自在に枢支されるとともにロール状ペーパー２を切り込み２ａより切断させる際の切断用補助板を兼ねる屋根板１２ｆを回転可能に枢支している。巻芯支持部１３、１３は側面受板１２ａ、１２ｂに形成された凹陥部１２ｅ、１２ｅにそれぞれがばね（図示せず）に抗して格納できるように構成されている。したがって、巻芯支持部１３、１３は巻芯３に嵌挿してトイレットペーパー１を支持するように常時は側面受板１２ａ、１２ｂより突出している。
【００２４】
上述のトイレットペーパー取付ホルダ１０を使用する場合は、トイレの壁面に取付けられている既存のトイレットペーパーホルダ９の背面と壁面との間に挿し込んで固定し、巻芯支持部１３、１３を凹陥部１２ｅ、１２ｅ内に一時待避させるようにトイレットペーパー１をトイレットペーパー取付ホルダ１０に取付ける。すなわち、トイレットペーパー１をトイレットペーパー取付ホルダ１０に装着するにはトイレットペーパー取付ホルダ１０の下方よりトイレットペーパー１を上昇させ、巻芯支持部１３、１３に当接させる。そして、トイレットペーパー１をなおも上方にスライドさせることにより巻芯支持部１３、１３はばね力に抗して凹陥部１２ｅ、１２ｅ内に退避するので、トイレットペーパー１の上昇が可能となる。このようにしてトイレットペーパー１を上昇させ、ある程度の高さに達すると、巻芯支持部１３、１３は巻芯３内に入り込むことになる。このため、トイレットペーパー１は巻芯支持部１３、１３によってほぼ水平状態に支持されることになり、巻解しが行える状態になる。
【００２５】
これにより、第１の実施の形態におけるトイレッペーパー取付ホルダに装着されたトイレットペーパー１と同様に剥離紙を剥がしてカバー５を例えば保湿性袋４の周面に接合させるか、屋根板１２ｆなどに接合させるかすることにより、引出口４ａよりペーパー先端を引出すことが可能となる。すなわち、ロール状ペーパー２は保湿性袋４内を巻芯方向に回転することができ、所望の長さロール状ペーパー２を引出したのちは、切り込み２ａにおいて切断すればよい。
【００２６】
（第３の実施の形態）
次に、第３の実施の形態を図６および図７に基づいて詳細に説明する。
この実施の形態のトイレットペーパー取付ホルダ１４は、図６に示す既存のトイレットペーパーホルダ１５の軸１５ａとともに図７に示すドライタイプのトイレットペーパー１６の巻芯を貫通する連結部材１４ａと、この連結部材１４ａの両端に取付けられた巻芯支持部１４ｒ、１４ｌとを有し、この巻芯支持部１４ｒ、１４ｌの少なくともいずれか一方は連結部材１４ａに対して着脱可能に嵌合している。また、巻芯支持部１４ｒ、１４ｌは吊下げアーム１４ｂ、１４ｂと、この吊下げアーム１４ｂ、１４ｂの下端に取付けられ、図１に示すトイレットペーパー１の巻芯３を挿入される支軸１４ｃ、１４ｃとから形成されて、トイレットペーパー１を水平状態に保持している。なお、軸１５ａは側板１５ｂ、１５ｂに対して伸縮して軸受部１５ｃに着脱可能に嵌合するように構成されている。
【００２７】
上述のトイレットペーパー取付ホルダ１４を使用する場合は、連結部材１４ａの一端に嵌合している一方の吊下げアーム１４ｂを外し、軸１５ａおよび連結部材１４ａをドライタイプのトイレットペーパー１６の巻芯に貫通させたのち、連結部材１４ａの一端と一方の吊下げアーム１４ｂとを嵌合させる。そののち、既存のトイレットペーパーホルダ１５の軸受部１５ｃに軸１５ａを嵌合し、ドライタイプのトイレットペーパー１６とともにトイレットペーパー取付ホルダ１４を既存のトイレットペーパーホルダ１５に装着する。
【００２８】
そののち、実際の使用に際しては、図１に示すトイレットペーパー１の摘み５ｃを摘まんでカバー５に設けられた接合部５ｂを例えば保湿性袋４の周囲に接合させて引出口４ａを開放する。この状態でトイレットペーパー１の先端を引出口４ａから引出すことによりトイレットペーパー１は巻芯支持部１４ｃ、１４ｃによって支持されているので、保湿性袋４内で回転し、トイレットペーパー１を最後まで確実に使用することができる。
【００２９】
また、使用後はカバー５の接着剤層５ａを保湿性袋４の接合させて引出口４ａを塞ぐようにしたので、ロール状ペーパー２はいつまでも適度な湿気を有するように保持され、よって皮膚に対する刺激を和らげ、衛生的で、使用に際して爽快感を有することができる。
【００３０】
【発明の効果】
以上の記載より明らかなように本発明は、ウェットタイプのロール状ペーパーを引出す保湿性袋の引出口にカバーを接合し、不使用時は引出口を閉じておけるようにしたので、ウェットタイプのロール状ペーパーの保湿性をいつまでも保持でき、よって使用に際しての皮膚に対する刺激を和らげ、衛生的で、排泄時や生理のときに使用することにより爽快感を得ることができる。
【００３１】
また、本発明のトイレットペーパーは保湿性袋の内側円筒状部を、本発明に係るトイレットペーパー取付ホルダの巻芯支持部あるいは既存のトイレットペーパーホルダの軸が貫通するようにしたので、ペーパーの巻解しを確実に行うことができる。
【００３２】
また、本発明のトイレットペーパーを収容するトイレットペーパー取付ホルダは既存のトイレットペーパーホルダなどに取付けられるようにした簡易な構造としたので、専用の取付装置を必要とせず、安価に製造することができる。
【００３３】
しかも、トイレットペーパー取付ホルダに装着した状態では、ウェットタイプのロール状ペーパーが保湿性袋内で巻解し方向に回転可能に支持されるので、ロール状ペーパーの巻解しを保湿性を保持した状態で確実に行うことができる。
【図面の簡単な説明】
【図１】本発明に係るトイレットペーパーの一例を示し、（ａ）は使用前の状態を示す斜視図、（ｂ）は使用時の状態を示す斜視図である。
【図２】本発明に係る第１の実施の形態におけるトイットペーパー取付ホルダを示す斜視図である。
【図３】図２に示すトイレットペーパー取付ホルダを既存のトイレットペーパーホルダに装着した状態を示す斜視図である。
【図４】本発明に係る第２の実施の形態におけるトイレットペーパー取付ホルダを示す斜視図である、。
【図５】図４に示すトイレトペーパー取付ホルダを既存のトイレットペーパーホルダに装着した状態を示す斜視図である。
【図６】本発明に係る第３に実施の形態におけるトイレトペーパー取付ホルダを示す斜視図である。
【図７】図６に示すトイレットペーパー取付ホルダを取付けるための既存のトイレットペーパーホルダを示す斜視図である。
【符号の説明】
１    トイレットペパー、    ２    ロール状ペーパー、    ３    巻芯、    ４    保湿性袋、    ４ａ    引出口、    ５    カバー、    ５ｂ    接合部、    ６    トイレットペーパー取付ホルダ、    ７    巻芯支持部、    ８    吊下げ部、    ８ａ    側部支持体、    ８ｃ    係止部、    １０    トイレットペーパー取付ホルダ、    １２ａ    側部支持体、    １２ｂ    側部支持体、    １２ｃ    連結板、    １４    トイレットペーパー取付ホルダ、    １４ａ    連結部材、    １４ｒ    巻芯支持部、    １４ｌ    巻芯支持部、
【図１】
0003590948.tif 000002
【図２】
0003590948.tif 000003
【図３】
0003590948.tif 000004
【図４】
0003590948.tif 000005
【図５】
0003590948.tif 000006
【図６】
0003590948.tif 000007
【図７】
0003590948.tif 000008